(57)【要約】      （修正有）【課題】羽根ユニットのガラリ枠体への着脱を容易に行うことができる防水型ガラリを提供する。【解決手段】上枠３と左枠と右枠と下枠６とを連結して四角形状に形成された枠体と、枠体に着脱自在に取り付けられた羽根ユニット７とを備えた防水型ガラリ１であって、上枠３には、上枠掛合凹部３ｂと上枠当接片３ｃが形成され、羽根ユニット７には、上枠掛合凹部と掛合されるように形成された羽根ユニット掛合凹部１０ａと、上枠当接片と当接されるように形成された羽根ユニット当接上片１０ｂとが設けられ、上枠掛合凹部と羽根ユニット掛合凹部とが掛合され、かつ、上枠当接片と羽根ユニット当接上片とが当接された状態で、羽根ユニットが枠体に固定されている。【選択図】図４
0003207835.tif 000002
【実用新案登録請求の範囲】
【請求項１】
上枠（３）と左枠（４）と右枠（５）と下枠（６）とを連結して四角形状に形成された枠体（２）と、該枠体に着脱自在に取り付けられた羽根ユニット（７）とを備えた防水型ガラリ（１）であって、
前記上枠（３）には、上枠掛合凹部（３ｂ）と上枠当接片（３ｃ）が形成され、
前記羽根ユニット（７）には、前記上枠掛合凹部（３ｂ）と掛合されるように形成された羽根ユニット掛合凹部（１０ａ）と、前記上枠当接片（３ｃ）と当接されるように形成された羽根ユニット当接上片（１０ｂ）とが設けられ、
前記上枠掛合凹部（３ｂ）と前記羽根ユニット掛合凹部（１０ａ）とが掛合され、かつ、前記上枠当接片（３ｃ）と前記羽根ユニット当接上片（１０ｂ）とが当接された状態で、前記羽根ユニット（７）が前記枠体（２）に固定されている
ことを特徴とする防水型ガラリ（１）。
【請求項２】
前記上枠掛合凹部は、上方に開口部を有する鈎状に形成され、
前記羽根ユニット掛合凹部は、下方に開口部を有する鈎状に形成され、
前記上枠当接片は、前記上枠の下方向に垂設され、
前記羽根ユニット当接上片は、前記羽根ユニットの上方向に垂設されている
ことを特徴とする請求項１又は請求項２に記載の防水型ガラリ。
【請求項３】
前記羽根ユニットには、少なくとも横羽根板（８）又は縦羽根板（９）のいずれか一方が備えられている
ことを特徴とする請求項１又は請求項２に記載の防水型ガラリ。
【考案の詳細な説明】
【技術分野】
【０００１】
本考案は、防水型ガラリに関し、特に、複数枚の羽根板をユニット化して構成された羽根ユニットのガラリ枠体への着脱を容易にした防水型ガラリに関するものである。
【背景技術】
【０００２】
従来から、室内と室外の空気を入れ換えるために建物の窓、戸等の建具、建物の外壁等に設置されたガラリ（「ガラリ戸」、「ガラリ装置」、「換気ルーバー」等、様々な呼称がある。）が知られている。このガラリは、複数の羽根板が個々にビス止め等により枠体に取付けられ、羽根板と枠体が一体化されたガラリ本体を、前述の建物の窓、戸等の建具、建物の外壁等の設置対象物に取付けられる構成のもの知られている。
【０００３】
例えば、下記特許文献１には、「上記したがらり構造では、換気口中に嵌合させて取り付けた周縁支持枠体に、前・後側横羽根片をそれぞれ取り付けるようにしているため、かかる前・後側横羽根片の取付け作業が煩雑になって、大きな手間を要している。特に、がらり構造の開口率は、需要者の希望に応じて設定するが、かかる作業も現場において行わなければならないため、取付け作業能率がよくないという不具合がある。」（段落「０００６」参照。）という従来技術の課題を解決するために、「壁部に形成した換気口に取り付けて、換気が行えるようにしたがらり構造であって、換気口中に嵌合させて取り付けた周縁支持枠体に、がらり本体を着脱自在に取り付けると共に、同がらり本体は、案内体支持枠体と、同案内体支持枠体の前側部に取り付けた前側外気案内体と、同前側外気案内体の後方において案内体支持枠体に取り付けた後側外気案内体とを具備することを特徴とするがらり構造」（段落「０００３」、図１〜図５参照。）が提案されている。
【０００４】
そして、特許文献１に「図１に示すＡは、本発明に係るがらりであり、同がらりＡは、壁部本体W1に形成した換気口Ｋに取付けて、屋内の換気が行なえるようにしている。・・・。がらりＡは、図１〜図３に示すように、換気口Ｋ中に嵌合させて取り付けた周縁支持枠体ａに、がらり本体ｂを着脱自在に取り付けて構成している」（段落「００２４」、「００２５」、図１、図２、図６参照。）、「このようにして、案内体支持枠体６に設けた上側取付片11aと左・右側取付片13a,14aと下側取付片12aは、それぞれ周縁支持枠体ａに設けた上側取付用ステー2aと左・右側取付用ステー4a、5aと下側取付用ステー3aに前方より重合状態に当接させて、取付けボルト17により着脱自在に取り付けている」（段落「００２９」、図１、図２、図６参照。）と記載されているように、特許文献１に記載の「がらりA」（「がらり構造」。）は、「がらり本体ｂ」を、「取付けボルト17」によって、「周縁支持枠体ａ」に着脱する構成である、
【先行技術文献】
【特許文献】
【０００５】
【特許文献１】特開２００１−２６２９５３号公報
【考案の概要】
【考案が解決しようとする課題】
【０００６】
ここで、「ガラリ」には、単に換気を行うだけのもの（以下、「換気ガラリ」という。）と、換気性能を確保し且つ防水性能を向上させた「防水型ガラリ」が知られている。通常、「防水型ガラリ」は、防水性能を向上させるために、羽根板の数を多くしたり、見込み方向いっぱいに羽根板が構成されているため、「換気ガラリ」に比べ、重量が重く、市販されている「防水型ガラリ」は、重量が約４０キログラムもある。特許文献１には、防水性能について何ら記載がないので、「がらりA」は換気ガラリであるものと推量されるが、特許文献１記載の「がらりA」を重量約４０キログラムの防水型ガラリとして構成した場合には、「がらり本体ｂ」を「周縁支持枠体ａ」に着脱するときに、「案内体支持枠体６に設けた上側取付片11aと左・右側取付片13a,14aと下側取付片12aは、それぞれ周縁支持枠体ａに設けた上側取付用ステー2aと左・右側取付用ステー4a、5aと下側取付用ステー3aに前方より重合状態に当接させ」た状態で、「取付ボルト17」を取付け・取外しするには、「がらり本体ｂ」が「周縁支持枠体ａ」から外れ落ちないように保持するために少なくとも作業要員が２名必要であり、「がらり本体ｂ」の「周縁支持枠体ａ」への着脱が容易であるとは言い難い。
【０００７】
したがって、「がらりＡ」を「換気口Ｋ」に取り付けるときのシーリング工事、取付け後の羽根板の清掃・交換等のメンテナンスも容易に行うことができないし、また、「がらり本体ｂ」に防虫網を取り付けたときも、防虫網の張り替え等のメンテナンスも容易に行うことができない。特に、ガラリをダクトの吸排気口に取り付けるような場合には、一方（外部）側からしか取付け・取り外し作業ができないので、上述の取付け・取り外し、シーリング工事、メンテナンス等の作業が困難になるものと予想される。
【０００８】
そこで、本考案は、羽根ユニットのガラリ枠体への着脱を容易に行うことができる防水型ガラリを提供することを目的とする。
【０００９】
また、本考案は、着脱以外にも、シーリング工事、メンテナンス等を容易に行うことができる防水型ガラリを提供することを目的とする。
【００１０】
上記の目的を達成するため、請求項１の考案では、上枠（３）と左枠（４）と右枠（５）と下枠（６）とを連結して四角形状に形成された枠体（２）と、該枠体に着脱自在に取り付けられた羽根ユニット（７）とを備えた防水型ガラリ（１）であって、前記上枠（３）には、上枠掛合凹部（３ｂ）と上枠当接片（３ｃ）が形成され、前記羽根ユニット（７）には、前記上枠掛合凹部（３ｂ）と掛合されるように形成された羽根ユニット掛合凹部（１０ａ）と、前記上枠当接片（３ｃ）と当接されるように形成された羽根ユニット当接上片（１０ｂ）とが設けられ、前記上枠掛合凹部（３ｂ）と前記羽根ユニット掛合凹部（１０ａ）とが掛合され、かつ、前記上枠当接片（３ｃ）と前記羽根ユニット当接上片（１０ｂ）とが当接された状態で、前記羽根ユニット（７）が前記枠体（２）に固定されていることを特徴とする。
【００１１】
また、請求項２の考案では、請求項１に記載の防水型ガラリであって、前記上枠掛合凹部は、上方に開口部を有する鈎状に形成され、前記羽根ユニット掛合凹部は、下方に開口部を有する鈎状に形成され、前記上枠当接片は、前記上枠の下方に垂設され、前記羽根ユニット当接上片は、前記羽根ユニットの上方に垂設されていることを特徴とする。
【００１２】
また、請求項３の考案では、請求項１又は請求項２に記載の防水型ガラリであって、前記羽根ユニットには、少なくとも横羽根板（８）又は縦羽根板（９）のいずれか一方が備えられていることを特徴とする。
【考案の効果】
【００１３】
本考案の防水型ガラリによれば、羽根ユニットの枠体への脱着を容易に行うことができるという顕著な効果を奏する。
【００１４】
また、本考案の防水型ガラリによれば、羽根板ユニットの枠体への脱着を容易に行うことができるので、羽根板の清掃・修理・交換等を容易に行うことができるという顕著な効果を奏する。
【００１５】
また、本考案の防水型ガラリによれば、防水型ガラリをダクトに取付けたときにも、シーリング工事、ガラリに取付けた防虫網の清掃・修理・交換等を容易に行うことができるという顕著な効果を奏する。
【図面の簡単な説明】
【００１６】
【図１】本考案の実施形態における防水型ガラリの外観図である。
【図２】本考案の実施形態における防水型ガラリの内観図である
【図３】図１の横断面図である。
【図４】図１の縦断面図である。
【図５】図４の要部拡大図である。
【図６】図１の防水型ガラリにおいて、羽根ユニットの脱着の様子を説明する図である。
【考案を実施するための形態】
【００１７】
以下、好適な実施形態を用いて本考案をさらに具体的に説明する。但し、下記の実施形態は本考案を具現化した例に過ぎず、本考案はこれに限定されるものではない。
【００１８】
（実施形態）
まず、本考案の実施形態における防水型ガラリ１について、図１〜図６を参照しながら説明する。図１は、防水型ガラリ１の外観図であり、図２は、防水型ガラリの内観図である。図３（ａ）は、図１の横断面図であり、図３（ｂ）は、図３（ａ）の防水型ガラリにおいて、枠体から羽根ユニットを取り外した状態の説明図である。図４（ａ）は、図１の縦断面図であり、図４（ｂ）は、図４（ａ）の防水型ガラリにおいて、枠体から羽根ユニットを取り外した状態の説明図である。図５は、図４の要部拡大図であり、図６は、図５の防水型ガラリにおいて、羽根ユニットの取り外し・取り付けを説明する図である。なお、説明の便宜上、本明細書で示す前・後・左・右の方向は、図中で示す矢印の前・後・左・右の方向と対応するものとする。左右方向は、見付け方向であり、前後方向は、見込み方向である。
【００１９】
本実施形態の防水型ガラリ１は、二層型（「複層型」ともいう。）のガラリであって、複数の横羽根板８と複数の縦羽根板９を有し、図１に示すように、外観は、横羽根板８が視認され、図２に示すように、内観は、縦羽根板９が視認されるように構成されている。防水型ガラリ１は、上枠３と左枠４と右枠５と下枠６とを連結して四角形状に形成された枠体２と、枠体２に着脱自在に取り付けられた羽根ユニット７を備えており、枠体２を、建物の外壁やダクトフランジ等に取り付けた後、羽根ユニット７を簡単に取り付け、取り外しすることができる構成になっている。上枠３、左枠４、右枠５、下枠６、羽根ユニット７は、アルミ押出型材を用いて形成されている。
【００２０】
図３は、図１の横断面図を示しており、図３（ａ）が、枠体２に羽根ユニット７を取り付けた状態、図３（ｂ）が、枠体２から羽根ユニット７を取り外した状態を示している。図３に示すように左枠４と右枠５は、同一形状で、防水型ガラリ１の左右に対向して配設されている。左枠４は、ダクトフランジ等の取り付け部に嵌合して取り付けられる左枠取付嵌合溝部４ａと、羽根ユニット７にビスＢ１でビス止めして連結される左枠連結片４ｂと、羽根ユニット７に当接して羽根ユニット７を支持固定する左枠当接部４ｃを備えている。同様に、右枠５は、ダクトフランジ等の取り付け部に嵌合して取り付けられる右枠取付嵌合溝部５ａと、羽根ユニット７にビスＢ３でビス止めして連結される右枠連結片５ｂと、羽根ユニット７に当接して羽根ユニット７を支持固定する右枠当接部５ｃを備えている。
【００２１】
羽根ユニット７は、四角形状の中空の枠体内部に複数の横羽根板８及び縦羽根板９を設けた構成になっており、図３では、羽根ユニット７の構成として、羽根ユニット７の枠体を構成する左連結部材４１部材及び右連結部材５１と、羽根ユニット７に着脱自在にビス止めされた複数の横羽根板８及び複数の縦羽根板９が示されている。
【００２２】
左連結部材４１と右連結部材５１は、同一形状で、羽根ユニット７の左右に対向して配設されている。左連結部材４１は、前方連結壁４１ａと後方連結壁４１ｂを備え、前方連結壁４１ａは、ビスＢ２で横羽根板８の左端部にビス止めされている。前方連結壁４１ａと後方連結壁４１ｂとは、それぞれ、見付方向に延出された連結片４１ｃ，４１ｄを有し、この連結片４１ｃと連結片４１ｄと左枠連結片４ｂとが重ね合わされてビスＢ１によりビス止めされる。後方連結壁４１ｂには、羽根ユニット７の枠体を構成する上方連結壁１０（図４参照。）にビス止めされるためのビス孔４１ｅ，４１ｆが形成されている。
【００２３】
同様に、右連結部材５１は、前方連結壁５１ａと後方連結壁５１ｂを備え、前方連結壁５１ａは、ビスＢ４で横羽根板８の右端部にビス止めされている。前方連結壁５１ａと後方連結壁５１ｂとは、それぞれ、見付方向に延出された連結片５１ｃ，５１ｄを有し、この連結片５１ｃと連結片５１ｄと右枠連結片５ｂとが重ね合わされてビスＢ３によりビス止めされる。後方連結壁５１ｂには、羽根ユニット７の枠体を構成する上方連結壁１０（図４参照。）にビス止めされるためのビス孔５１ｅ，５１ｆが形成されている。
【００２４】
縦羽根板９は、複数枚が見付け方向に並設されている。各縦羽根板９の見込み方向の両端部には、上方連結壁１０（図４参照。）にビス止めされるためのビス孔９ａ，９ｂが形成されている。横羽根板８、縦羽根板９の各構成部品の形状は、必要に応じて適宜選択して形成することができる。
【００２５】
上記のように構成しているので、羽根ユニット７は、枠体２から取り外した状態、例えば、防水型ガラリ１の製造工場等において、羽根ユニット７からビスＢ２，Ｂ４を取り外して横羽根板８を取り外すことができるので、簡単にメンテナンス、交換、横羽根板８の構成変更等を行うことができる。また、ビスＢ１，Ｂ３や、その他のビス（図４参照。）を取り外して縦羽根板９を取り外すことで、簡単にメンテナンスや修理・交換を行うことができ、また、横羽根板８、縦羽根板９の羽根の形状や、羽根板の並設間隔を変更することで、止水率や換気率も必要に応じて簡単に変更することができる。
【００２６】
図４は、図１の縦断面図を示しており、図４（ａ）が、枠体２に羽根ユニット７を取り付けた状態、図４（ｂ）が、枠体２から羽根ユニット７を取り外した状態を示している。図５は、枠体２を構成する上枠３と、羽根ユニット７との取付部近傍の拡大図である。図４、図５に示すように、上枠３には、上枠３の後端部下方向に上枠掛合片３ａが垂設され、上枠掛合片３ａの下端部には、前側上方に開口部を有する鈎状の上枠掛合凹部３ｂが形成されている。また、上枠３の前端部下方向には上枠当接片３ｃが垂設されている。また、上枠３の上面中央部には、ダクトフランジ等へ取り付けるための上枠取付片３ｄが立設され、上枠３内部には、左枠４及び右枠５にビス止めされるためのビス孔が形成されている。上枠３の見込み方向幅と羽根ユニット７の見込み方向幅は、略等しく形成されている。
【００２７】
下枠６には、後端部上方向に止水用の下枠パネル６ａが垂設されており、下枠パネル６ａの壁面には、羽根ユニット７と当接される複数の下枠当接部６ｂ、ダクトフランジ等への取り付け用のビス孔等が設けられている。下枠６の後端部から前端部にかけて、排水のための勾配を設けた排水板６ｃが形成され、排水板６ｃ上面の前側には、下枠当接片６ｄが立設され、下枠６の下面には、ダクトフランジ等へ取り付けるための下枠取付片６ｅが垂設されている。また、下枠６内部には、左枠４及び右枠５にビス止めされるためのビス孔が形成されている。
【００２８】
羽根ユニット７の上端部には、上方連結壁１０が設けられ、ビスＢ５，Ｂ６が、それぞれ、右連結部材５１のビス孔５１ｅ，５１ｆ（図３参照。）に螺挿されて、上方連結壁１０と右連結部材５１の上端部がビス止めされている。縦羽根板９の上端部は、ビスＢ７，Ｂ８が、縦羽根板９のビス孔９ａ，９ｂ（図３参照。）に螺挿されて、上方連結壁１０にビス止めされている。羽根ユニット７の下端部に設けられた下方連結壁１１は、ビスＢ９，Ｂ１０によって、右連結部材５１の下端部にビス止めされ、また、縦羽根板９の下端部は、ビスＢ１１，Ｂ１２によって、右連結部材５１の下端部にビス止めされている。
【００２９】
上方連結壁１０の後端部には、後側下方向に開口部を有する鈎状の羽根ユニット掛合凹部１０ａが形成され、この羽根ユニット掛合凹部１０ａは、上枠掛合凹部３ｂと掛合され、羽根ユニット７が上枠３に保持固定されるように構成されている。また、上方連結壁１０の前端部には、上枠当接片３ｃと当接されるように羽根ユニット当接上片１０ｂが上方向に垂設されている。上枠掛合凹部３ｂと羽根ユニット掛合凹部１０ａを掛合させただけでは、この掛合する部分を支点にして羽根ユニット７が回動する虞があるが、羽根ユニット当接上片１０ｂが上枠当接片３ｃに当接されることで、羽根ユニット７の回動を防止することができる（図４（ａ）、図５参照。）。
【００３０】
下方連結壁１１の下面前側には、下枠当接片６ｄと当接する位置に、羽根ユニット当接下片１１ａが下方向に垂設されている。羽根ユニット当接下片１１ａは、下枠当接片６ｄと当接される状態でビス１３によりビス止めされ、これにより、羽根ユニット７の下部が下枠６に固定される。このビス止め作業時には、上述したように、羽根ユニット７の上部（上枠連結壁１０）が上枠３に保持固定されているので、作業員一人でも簡単にビス止めをすることができる。逆に、ビスを取り外しても、羽根ユニット７が回動したり、枠体２から脱落する虞がない。
【００３１】
図６は、羽根ユニット７の枠体２からの取り外しを説明する図である。図６では、上方連結壁１０と上枠３の近傍を拡大して説明する。上方連結壁１０は、上述したように、羽根ユニット７の上端部に連結されている。まず、羽根ユニット７は、図４（ａ）に示すように、枠体２に取り付けられているものとする。このとき、上方連結壁１０に設けられている羽根ユニット掛合凹部１０ａは、上枠３に設けられている上枠掛合凹部３ｂに掛合され、羽根ユニット当接上片１０ｂは、上枠当接片３ｃに当接されている。
【００３２】
まず、図４（ａ）の状態で、羽根ユニット７の取り外しに必要なビスを全て取り外す。上述したように、ビスを全て取り外しても羽根ユニット７が回動したり、枠体２から脱落することはない。次に、ビスを取り外した後、図６（ａ）に示すように、羽根ユニット７を上方向に持ち上げる。そうすると、上方連結壁１０も連動して上方向に持ち上がり、羽根ユニット掛合凹部１０ａが、掛合されていた上枠掛合凹部３ｂから解放される。このとき、羽根ユニット当接上片１０ｂは、上枠当接片３ｃに当接されたままである。
【００３３】
図６（ａ）の状態から、羽根ユニット７を前方向に移動させると、上方連結壁１０は、完全に上枠３から解放される。そして、図６（ｃ）のように、さらに羽根ユニット７を前方向に移動させて、枠体２から羽根ユニット７を取り外すことができる。羽根ユニット７を枠体２に取り付けるときは、逆の手順で行うことができる。
【００３４】
以上、説明したように、羽根ユニット７と枠体２がビス止めされていなくても、羽根ユニット７が回動・落下することなく枠体２に固定されているので、数十キログラムの羽根ユニット７を一人の作業員でも簡単に枠体２に脱着することができる。
【００３５】
なお、本実施形態では、羽根ユニット７に横羽根板８と縦羽根板９が備えられているいわゆる複層型の防水型ガラリについて説明したが、羽根ユニット横羽根板８のみ、あるいは、縦羽根板９のみを備えた一層型防水型にも本考案を適用することができる。
【符号の説明】
【００３６】
１      防水型ガラリ
２      枠体
３      上枠
３ａ    上枠掛合片
３ｂ    上枠掛合凹部
３ｃ    上枠当接片
３ｄ    上枠取付片
４      左枠
４ａ    左枠取付嵌合溝部
４ｂ    左枠連結片
４ｃ    左枠当接部
５      右枠
５ａ    右枠取付嵌合溝部
５ｂ    右枠連結片
５ｃ    右枠当接部
６      下枠
６ａ    下枠パネル
６ｂ    下枠当接部
６ｃ    排水板
６ｄ    下枠当接片
６ｅ    下枠取付片
７      羽根ユニット
８      横羽根板
９      縦羽根板
１０    上方連結壁
１０ａ  羽根ユニット掛合凹部
１０ｂ  羽根ユニット当接上片
１１    下方連結壁
１１ａ  羽根ユニット当接下片
４１    左連結部材
４１ａ，５１ａ  前方連結壁
４１ｂ，５１ｂ  後方連結壁
４１ｃ，４１ｄ，５１ｃ、５１ｄ  連結片
４１ｅ，４１ｆ，５１ｅ，５１ｆ  ビス孔
５１    右連結部材
Ｂ１，Ｂ２，Ｂ３，Ｂ４，Ｂ５，Ｂ６，Ｂ７，Ｂ８，Ｂ９，Ｂ１０，Ｂ１１，Ｂ１２，Ｂ１３  ビス
【図１】
0003207835.tif 000003
【図２】
0003207835.tif 000004
【図３】
0003207835.tif 000005
【図４】
0003207835.tif 000006
【図５】
0003207835.tif 000007
【図６】
0003207835.tif 000008
【手続補正書】
【提出日】平成28年9月30日(2016.9.30)
【手続補正１】
【補正対象書類名】実用新案登録請求の範囲
【補正対象項目名】全文
【補正方法】変更
【補正の内容】
【実用新案登録請求の範囲】
【請求項１】
上枠（３）と左枠（４）と右枠（５）と下枠（６）とを連結して四角形状に形成された枠体（２）と、該枠体に着脱自在に取り付けられた羽根ユニット（７）とを備えた防水型ガラリ（１）であって、
前記上枠（３）には、上枠掛合凹部（３ｂ）と上枠当接片（３ｃ）が形成され、
前記羽根ユニット（７）には、前記上枠掛合凹部（３ｂ）と掛合されるように形成された羽根ユニット掛合凹部（１０ａ）と、前記上枠当接片（３ｃ）と当接されるように形成された羽根ユニット当接上片（１０ｂ）とが設けられ、
前記上枠掛合凹部（３ｂ）と前記羽根ユニット掛合凹部（１０ａ）とが掛合され、かつ、前記上枠当接片（３ｃ）と前記羽根ユニット当接上片（１０ｂ）とが当接された状態で、前記羽根ユニット（７）が前記枠体（２）に固定されている
ことを特徴とする防水型ガラリ（１）。
【請求項２】
前記上枠掛合凹部は、上方に開口部を有する鈎状に形成され、
前記羽根ユニット掛合凹部は、下方に開口部を有する鈎状に形成され、
前記上枠当接片は、前記上枠の下方向に垂設され、
前記羽根ユニット当接上片は、前記羽根ユニットの上方向に垂設されている
ことを特徴とする請求項１に記載の防水型ガラリ。
【請求項３】
前記羽根ユニットには、少なくとも横羽根板（８）又は縦羽根板（９）のいずれか一方が備えられている
ことを特徴とする請求項１又は請求項２に記載の防水型ガラリ。